(57)【特許請求の範囲】
【請求項１】
定置部材に物品を締結するために使用可能なラッシング装置であって、
前記定置部材に締結可能でありかつコード係合部材を有する、少なくとも１つのコードアンカーと、
前記コードアンカーの前記コード係合部材に結合されるコードと、
第１のコード係合部材を備えた第１の部分と、第２のコード係合部材を備えた第２の部分とを有するコードクリップと、
を備え、
前記コードクリップの前記第１のコード係合部材が第１のコード部分に結合されており、前記コードクリップの前記第２のコード係合部材が、第２のコード部分に着脱自在に結合可能であるラッシング装置。
【請求項２】
更に、間隔を置いた状態で前記定置部材に締結可能な複数の少なくとも２つのコードアンカーを含み、前記コードアンカーの各々がコード係合部材を有し、前記コードが、対応するコードアンカーの少なくとも２つのコード係合部材に着脱自在に結合されている請求項１に記載のラッシング装置。
【請求項３】
前記コードクリップの前記第１のコード係合部材が、前記コードを受け入れるための、前記コードクリップの第１の部分を貫通する第１の開口を含み、前記コードクリップの前記第１の開口が第１の開放末端部分を有し、前記コードクリップの前記第１の開口と前記第１の開放末端部分とが、前記コードクリップの第１の開口内に前記コードを保持し、かつ、前記コードに沿った前記コードクリップの両方向への自由な移動を可能にするような寸法にされている請求項１に記載のラッシング装置。
【請求項４】
前記コードクリップの前記第２のコード係合部材が、前記コードを受け入れるための前記コードクリップの前記第２の部分を貫通する第２の開口を含み、前記コードクリップの前記第２の開口が第２の開放末端部分を有し、前記コードクリップの前記第２の開口と前記第２の開放末端部分とが、前記コードクリップの前記第２の開口の中で前記コードを保持するような寸法にされている請求項３に記載のラッシング装置。
【請求項５】
前記コードクリップの前記第１のコード係合部材が、前記コードを受け入れるための、前記コードクリップの前記第１の部分を貫通する第１の開口を含み、前記コードクリップの前記第１の開口が第１の開放末端部分を有し、前記コードクリップの前記第１の開口と前記第１の開放末端部分とが、前記コードクリップの前記第１の開口の中で前記コードを保持し、かつ、前記コードに沿った前記コードクリップの自由な移動を防止するように前記コードを摩擦的に締着するような寸法にされている請求項１に記載のラッシング装置。
【請求項６】
前記コードが、前記コードが非伸張状態である時に第１の直径を有し、前記コードが伸張状態である時に前記第１の直径よりも小さい第２の直径を有する伸張可能な弾性コードであって、前記コードクリップの第１の開口が、前記コードが伸張状態である時に前記コードに沿った前記コードクリップの両方向の移動を可能にするような寸法にされており、かつ、前記コードクリップの前記開口が、前記コードが非伸張状態である時に前記コードを摩擦的に締着するような寸法にされている請求項５に記載のラッシング装置。
【請求項７】
前記コードアンカーの前記コード係合部材が、前記コードを受け入れるための、前記コードアンカーを貫通する開口を含み、前記コードアンカーの前記開口が開放末端部分を有し、前記コードアンカーの前記開口と前記開放末端部分とが、前記コードアンカーの前記開口内に前記コードを保持し、かつ、前記コードアンカーの前記開口を通過する前記コードの両方向の自由な移動を可能にするような寸法にされている請求項１に記載のラッシング装置。
【請求項８】
前記コードアンカーの前記コード係合部材が、前記コードを受け入れるための、前記コードアンカーを貫通する開口を含み、前記コードアンカーの前記開口が開放末端部分を有し、前記コードアンカーの前記開口と前記開放末端部分とが、前記コードアンカーの前記開口の中で前記コードを保持し、かつ、前記コードアンカーの前記開口を通過する前記コードの自由な移動を防止するように前記コードを摩擦的に締着するような寸法にされている請求項１に記載のラッシング装置。
【請求項９】
前記コードが、前記コードが非伸張状態である時に第１の直径を有し、前記コードが伸張状態である時に前記第１の直径よりも小さい第２の直径を有する伸張可能な弾性コードであり、前記コードアンカーの前記開口が、前記コードが伸張状態である時に前記コードアンカーの前記開口を通過して前記コードが軸方向に移動することを可能にするような寸法にされており、かつ、前記コードアンカーの前記開口が、前記コードが非伸張状態である時に前記コードを摩擦的に締着するような寸法にされている請求項８に記載のラッシング装置。
【請求項１０】
前記コードアンカーが、前記定置部材に締結可能なアンカー固定部分を有する請求項１に記載のラッシング装置。
【請求項１１】
更に、コード端部締結部分を有するコードフックも備え、前記コードフックがフック部分を有し、前記コードの一部分が、前記コードフックの前記コード端部締結部分に締結される請求項１に記載のラッシング装置。
【請求項１２】
前記コードが、前記コードが非伸張状態である時に第１の直径を有し、前記コードが伸張状態である時に前記第１の直径よりも小さい第２の直径を有する伸張可能な弾性コードであり、前記コードが前記コードアンカーと前記コードクリップとによって保持される請求項１に記載のラッシング装置。
【請求項１３】
更に定置部材を含み、前記コードアンカーが前記定置部材に締結される請求項１に記載のラッシング装置。
【請求項１４】
前記定置部材が個人用荷物運搬パックである請求項１３に記載のラッシング装置。
【請求項１５】
ラッシング装置のコードを保持するために使用可能なコードアンカーであって、
本体部材と、
前記本体部材の第１の部分上のコード係合部分と、
コードを受け入れるための、前記コード係合部分を貫通しかつ開放末端部分を有する開口とを有し、
前記開口の前記開放末端部分が、それを通して前記開口の中にコードを挿入することを可能にするような寸法にされており、前記開口とその前記開放末端部分とが、前記コードアンカーの前記開口の中にコードを保持するような寸法にされていて、
更に、前記本体部材の第２の部分上のアンカー固定部分を有する、
コードアンカー。
【請求項１６】
前記コードが前記コードアンカーの前記開口の中に配置かつ保持されており、前記コードアンカーの前記開口が、前記コードアンカーの前記開口を通過して両方向に前記コードが自由に移動することを可能にするような寸法にされている、コードと請求項１５に記載のコードアンカーとの組合せ。
【請求項１７】
前記コードが前記コードアンカーの前記開口の中に配置かつ保持されており、前記コードアンカーの前記開口が、前記コードアンカーの前記開口を通過して前記コードが自由に移動することを防止するように前記コードを摩擦的に締着するような寸法にされている、コードと請求項１５に記載のコードアンカーとの組合せ。
【請求項１８】
前記コードが、前記コードが非伸張状態である時に第１の直径を有し、前記コードが伸張状態である時に前記第１の直径よりも小さい第２の直径を有する伸張可能な弾性コードであり、前記コードアンカーの前記開口が、前記コードが伸張状態である時に前記コードアンカーの前記開口を通過して前記コードが軸方向に移動することを可能にするような寸法にされており、前記コードアンカーの前記開口が、前記コードが非伸張状態である時に前記コードを摩擦的に締着するような寸法にされている請求項１７に記載のコードアンカー。
【請求項１９】
ラッシング装置のコードの一部分を締結するために使用可能であるコードクリップであって、
本体部材と、
前記本体部材の第１の部分上の第１のコード係合部分と、前記本体部材の第２の部分上の第２のコード係合部分と、
前記コードを受け入れるための、前記第１のコード係合部分を貫通しておりかつ第１の開放末端部分を有する第１の開口とを有し、
前記第１の開口の前記第１の開放末端部分が、それを通して前記第１の開口の中に前記コードを挿入することを可能にするような寸法にされており、前記第１の開放末端部分が前記コードクリップの前記第１の開口の中に前記コードを保持するような寸法にされていて、更に、
前記コードを受け入れるための、前記本体部分の前記第２のコード係合部分を貫通している第２の開口であって、前記コードの引っ掛け係合を可能にするような第２の開放末端部分を有する前記コードクリップの第２の開口を有する、
コードクリップ。
【請求項２０】
前記第２の開口の前記第２の開放末端部分が、それを通して前記第２の開口の中に前記コードを挿入することを可能にするような寸法にされており、前記第２の開放末端部分が、前記コードクリップの前記第２の開口の中に前記コードを保持するような寸法にされている請求項１９に記載のコードクリップ。
【請求項２１】
前記コードが前記コードクリップの前記第１の開口の中に配置かつ保持されており、前記コードクリップの前記第１の開口が、前記コードに沿って両方向に前記コードクリップが自由に移動することを可能にするような寸法にされている、コードと請求項１９に記載のコードクリップとの組合せ。
【請求項２２】
前記コードが前記コードクリップの前記第１の開口の中に配置かつ保持されており、前記コードクリップの前記第１の開口が、前記コードに沿って前記コードクリップが自由に移動することを防止するように前記コードを摩擦的に締着するような寸法にされている請求項１９に記載のコードクリップ。
【請求項２３】
前記コードが、前記コードが非伸張状態である時に第１の直径を有し、前記コードが伸張状態である時に前記第１の直径よりも小さい第２の直径を有する伸張可能な弾性コードであり、前記コードクリップの前記第１の開口が、前記コードが伸張状態である時に前記コードに沿って前記コードクリップが両方向に移動することを可能にするような寸法にされており、かつ、前記コードクリップの前記開口が、前記コードが非伸張状態である時に前記コードを摩擦的に締着するような寸法にされている請求項２２に記載のコードクリップ。
【発明の詳細な説明】
【０００１】
【発明の属する技術分野】
本発明は、一般的にはラッシング装置に係わり、特に、その装置のための伸張可能な弾性コードおよびテークルを有するラッシング装置に係わる。
【０００２】
【従来の技術】
ラッシング装置は公知であり、物品を他の部材に締結するために広く使用されている。例えば、物品がその間に結束されるまたは積込まれる、伸張可能であってもよいウェブを形成するように、バックパックの外側部分上の幾つかの固定箇所にネットまたは弾性コードを締結することが知られている。しかし、公知の従来技術のラッシング装置では、上記ネットまたは弾性コードの幾つかの箇所がバックパックに永久的に締結され、それによって形成されている物品捕捉ウェブが比較的調整不可能な形でその上に固定されている。それ故、一般的に、従来技術のラッシング装置は、その固定されたウェブ位置とそのウェブ位置が調整不可能であることとを部分的な要因として、積込可能な物品の個数、寸法、及びその物品の積込の方向配置に、著しい制限がある。
【０００３】
【発明が解決しようとする課題】
本発明は、定置部材に物品を締結するために使用可能である、ラッシング装置とその装置のためのテークルの技術の向上をもたらす。
【０００４】
本発明の目的は、従来技術における問題点を克服しかつ経済的である新規なラッシング装置とこの装置のためのテークルとを提供することである。
【０００５】
本発明の別の目的は、比較的容易に調節可能でありかつ様々な物品の形状と寸法と積込の方向配置とに適応する、新規なラッシング装置とこの装置のためのテークルとを提供することである。
【０００６】
本発明の更に別の目的は、新規なラッシング装置とこの装置のためのテークルとを提供することであり、特に、相対的に定置されている部材の中でもとりわけ、個人用荷物運搬パック、旅行用カバン類、座席、車輌ベッド(vehicle beds)を含む定置部材に物品を締結するために使用可能である、弾性コードを有するラッシング装置を提供することである。
【０００７】
本発明の更に特別な目的は、定置部材に間隔を置いた状態で締結可能である、一般的には少なくとも１つの、好ましくは複数のコードアンカーと、第１のコード部分に着脱自在に結合可能である第１のコード係合部材を有する第１の部分と、第２のコード部分に便利にかつ着脱自在に結合可能である第２のコード係合部材を有する第２の部分とを各々が有し、個々の物品積込用途に適応する１つ以上のコードクリップとを含む、新規のラッシング装置を提供することである。更に、上記コードが１つ以上のコードアンカーに選択的に固定され、それによって定置部材上に選択的に位置決めされるように、上記コードアンカーが、上記コードに着脱自在に結合可能なコード係合部材も有する。更に、好ましくはこのラッシング装置は、第１のコード部分に結合しているコードフックを含み、このコードフックは、引っ掛けることによって別のコード部分に結合可能であるフック部分を有する。
【０００８】
本発明の上記の及び他の目的、態様、特徴及び利点は、理解を容易にするには不相応であるかもしれないが、下記の本発明の詳細な説明と添付図面とを慎重に考察することによって、より完全に明らかになるだろう。添付図面においては、一般的に、互いに同じ構造と段階とが、互いに一致する番号と記号とによって示されている。
【０００９】
【課題を解決するための手段】
本発明によれば、定置部材に物品を締結するために使用可能なラッシング装置であって、前記定置部材に締結可能でありかつコード係合部材を有する、少なくとも１つのコードアンカーと、前記コードアンカーの前記コード係合部材に結合されるコードと、第１のコード係合部材を備えた第１の部分と第２のコード係合部材を備えた第２の部分とを有するコードクリップと、を備え、前記コードクリップの前記第１のコード係合部材が第１のコード部分に結合されており、前記コードクリップの前記第２のコード係合部材が、第２のコード部分に着脱自在に結合可能であるラッシング装置が提供される。
【００１０】
更に本発明によれば、ラッシング装置のコードを保持するために使用可能なコードアンカーであって、本体部材と、前記本体部材の第１の部分上のコード係合部分と、コードを受け入れるための、前記コード係合部分を貫通しかつ開放末端部分を有する開口とを有し、前記開口の前記開放末端部分が、それを通して前記開口の中にコードを挿入することを可能にするような寸法にされており、前記開口とその前記開放末端部分とが、前記コードアンカーの前記開口の中にコードを保持するような寸法にされていて、更に、前記本体部材の第２の部分上のアンカー固定部分を有する、コードアンカーが提供される。
【００１１】
更に本発明によれば、ラッシング装置のコードの一部分を締結するために使用可能であるコードクリップであって、本体部材と、前記本体部材の第１の部分上の第１のコード係合部分と、前記本体部材の第２の部分上の第２のコード係合部分と、前記コードを受け入れるための、前記第１のコード係合部分を貫通しておりかつ第１の開放末端部分を有する第１の開口とを有し、前記第１の開口の前記第１の開放末端部分が、それを通して前記第１の開口の中に前記コードを挿入することを可能にするような寸法にされており、前記第１の開放末端部分が前記コードクリップの前記第１の開口の中に前記コードを保持するような寸法にされていて、更に、前記コードを受け入れるための、前記本体部分の前記第２のコード係合部分を貫通している第２の開口であって、前記コードの引っ掛け係合を可能にするような第２の開放末端部分を有する前記コードクリップの第２の開口を有する、コードクリップが提供される。
【００１２】
【発明の実施の形態】
図１は定置部材１０に物品を締結するために使用可能であるラッシング装置１００を示し、例示されている実施形態では、定置部材１０は例えばバックパック、ナップザック、ウエストパック、ウエストポーチ、または、人間また動物の胴体の上に装着可能であるその他のパック等の、個人用の荷物運搬パックである。定置部材１０は、より一般的には、具体的に旅行用カバン類またはハンドバックとされてもよい。定置部材１０は更に、具体的に例えばオートバイや自動車や船の座席等の座席とされてもよく、または、自動車のトランクスペースや、ピックアップトラックや無エンジン車輌のベッドのような車輌ベッドとされてもよい。したがって、本明細書とその請求項とで使用されている「定置部材」という用語は、上記具体例のいずれか１つ以上であると広義に解釈されるべきである。
【００１３】
図１は、一般に定置部材１０に着脱自在に締結可能であるコード２０を含み、好ましくは、コードが非伸張状態である時に第１の軸心直径を有し、かつ、コードが伸張状態にある時に第１の直径よりも小さい第２の軸心直径を有する伸張可能な弾性コードを含む、ラッシング装置１００を示す。このコードは、図１に示されているようなコードそのものであっても、同一または異った材料の弾性または非弾性ウェブまたはネットの一部分であってもよい。このコードは、例えば、ネットの周囲部分を通して編み込まれるか送り込まれてもよく、または、それ自体がネットを形成するように織られるか、縫われるか、もしくは、別の方法で製作されてもよい。他の実施形態では、このコードは比較的非弾性でありかつ非伸張性である。
【００１４】
ラッシング装置１００は、更に、一般的には少なくとも１つの、好ましくは複数で少なくとも２つの、定置部材１０に締結可能であるコードアンカー１１０を含み、１つより多いコードアンカーが使用される場合には、間隔を置いた状態で締結可能であることが好ましい。図１は、定置部材１０の対応部分に締結されている複数のコードアンカー１１０を示しており、この典型的な実施形態では、コードアンカーが、定置部材１０の背面部分１２上に配置されている、一般的には２つの間隔を開けた列またはアレイに配列されている。１つ以上のコードアンカー１１０が、更に、定置部材１０の他の部分上に、例えば、図１に示されているように定置部材１０の部分１４上に、配置されていてもよい。コードアンカー１１０のこの構成は単なる一例にすぎず、本発明を限定することは意図されていない。
【００１５】
上記構成、更に明確に言えば、定置部材上の複数のコードアンカー１１０の締結位置は様々であり、１つ以上のコードアンカーが締結される定置部材のタイプに幾分かは依存する。本発明では、複数のコードアンカー１１０が、上記定置部材の少なくとも１つの表面部分、好ましくは多数の表面部分上に配置され、後述するように様々な物品に対し多くの物品積込配置が可能となるようにする。
【００１６】
本発明の一態様によると、コード２０が、１つ以上のコードアンカー１１０によって定置部材１０に締結される。更に明確に述べると、コードが、その対応するコード係合部材によって、１つ以上のコードアンカー１１０に結合され、好ましくは着脱自在に結合可能である。この典型的な実施形態では、定置部材１０に締結されている複数のコードアンカー１１０が存在し、様々な積込可能な物品の寸法、形状および個数に適応するように、または、積込用途の個々の要求に応じて特定の位置または方向配置に物品を積込むように、コード２０がコードアンカー１１０のいずれか１つ以上に選択的に着脱自在に結合され得る。
【００１７】
図２及び図５は、コード係合部分１２２にコード係合部材１１２を備えた本体部材１２０を有するコードアンカー１１０を示しており、更に詳細に後述するように、コード２０が好ましくは着脱自在にコード係合部分１２２に結合される。複数のコードアンカー各々のコード係合部材１１２が、コード２０を受け入れるための、コードアンカー１１０を貫通する開口１１４を含む。コードアンカー１１０の開口１１４が、コード２０の引っ掛け係合を可能にするための開放末端部分１１６を有することが好ましい。
【００１８】
コードアンカー１１０の開口１１４とその開放末端部分１１６とは、コード２０を保持し、かつ、開口１１４を通過する形でコードが配置される時に開口１１４からコードが離脱することを防止し、コード２０の紛失を防止するような寸法にされている。
【００１９】
用途によっては、コードアンカー１１０の開口１１４を通ってコード２０が軸方向に自由に移動可能であることが望ましく、したがって、この目的のためには、開口１１４の概ね穿孔状の直径がコード２０の直径よりもわずかに大きい寸法にされる。言い換えれば、コード２０が、コードアンカー１１０の開口１１４を通って両方向に自由に移動することが可能である。開口１１４内でコード２０を確実に保持するように、および、好ましくは、これと同時に、コードアンカー１１０に対するコード２０の着脱自在な結合を可能にするように、開口１１４の開放末端部分１１６は、一般的に、コード直径よりも小さい開口幅を有する間隙である。
【００２０】
別の用途では、コードアンカー１１０の開口１１４を通るコードの自由な軸方向の移動を防止するために、コード２０を摩擦的に締着することが望ましい。この別の用途では、開口１１４とコードとの間にいくらかの摩擦を生じさせるように、開口１１４の概ね穿孔状の直径がコード直径よりも幾分か小さい。開口１１４とコードとの間に所望の度合いの摩擦を得るように、つまり、コードアンカー１１０に対するコード２０の移動の容易さを調節するように、開口１１４の概ね穿孔状の直径の寸法がコード直径を基準にして決定される。上記の通りに、開口１１４内でコード２０を確実に保持するために、かつ好ましくはコードアンカー１１０へのコードの着脱自在な結合を可能にするために、開口１１４の開放末端部分１１６が一般にコード直径よりも小さい寸法にされる。
【００２１】
実施形態の１つでは、コードアンカー１１０は、成形作業によってアセタールやポリエチレン、または他の幾つかのプラスチックあるいは複合材料で形成されている。あるいは、コードアンカーが、スタンピングまたは鋳造作業によって金属材料または他の材料から形成されてもよい。更に、コードアンカーが、ある程度の弾性を有するように形成されてもよい。コードアンカーは一体の部材であっても組立体であってもよい。
【００２２】
コードアンカー１１０の弾性がより大きい場合には、弾性コードアンカーを曲げることによって、コード２０が開放末端部分１１６を通して開口１１４の中に挿入されてもよい。コードが伸張可能な弾性コードである実施形態では、特に、コードアンカーの弾性がより小さい実施形態の場合に、伸張によってコード直径が縮小され、それによって開口１１４の中へのコードの挿入が可能になる。コードアンカーが弾性であり、かつ、コードが伸張可能な弾性コードである実施形態では、コードを伸張すること、または、コードアンカーを曲げること、または、これらの組合せが、コードアンカーの開口の中にコードを挿入することを容易にする。
【００２３】
実施形態の１つでは、コード２０が、このコード２０が締結されているコードアンカー１１０の開口１１４によって保持され、好ましくは摩擦的に締着されており、それによって、コード２０がコードアンカー１１０に対して軸方向に固定される。コード２０が伸張可能な弾性コードである場合には、上記の通りに、コードを伸張させて、その伸張したコードを開放末端部分１１６を通して開口１１４の中に挿入することによって、コードアンカー１１０にコードが締結され、そのコードの直径が第１の相対的に大きい直径となるようにコードを非伸張状態にすると、コード２０がコードアンカー１１０の開口１１４内に締着される。
【００２４】
次いで、少なくとも開口１１４内を通るコードの軸方向の移動を可能にする程度に非伸張状態の直径よりも小さい直径にコード直径を縮小させるようにコードを伸張させることによって、コードアンカー１１０によって締着されている伸張可能なコード２０が、コードアンカーの開口１１４の中を軸方向に通過することが可能であり、それによって、コードアンカー１１０にコードが締結される箇所を精密に位置調整することが可能になる。コード２０は、伸張可能であろうとなかろうと、コードの締結を解除するようにコードアンカーを曲げることによって、例えば、コードを十分に引っ張ることによって、または、コードが伸張可能である場合には、コードを伸張させることによって、または、これらの組合せによって、コードアンカー１１０の開口１１４を通して移動させられてもよい。
【００２５】
コードアンカー１１０は更に、定置部材に締結可能であるアンカー固定部分１２４も含む。図２と図５では、アンカー固定部分１２４が、ループ状ストラップ締結部分（図示されていない）を収容するための、アンカー固定部分１２４を貫通したストラップ開口１２５を有するが、アンカー固定部分１２４は定置部材１０に縫い付けられるかリベット留めされるか又は他の方法で固定されてもよい。あるいは、アンカー固定部分１２４が、コード係合部分１２２内にインサート成形された織物部分であってもよく、この場合には、織物アンカー固定部分１２４自体が定置部材１０に直接的に縫い付けられるかまたはリベット留めされる。他の実施形態では、一体形プラスチックアンカー１１０のプラスチック製アンカー固定部分１２４が、定置部材１０に直接的に縫い付けられるかまたはリベット留めされる。
【００２６】
図１は、コード２０に締結可能である一般的に１つ以上のコードクリップ１３０を更に含むラッシング装置１００を示している。図３及び図６は、第１の部分１４２上の第１のコード係合部材１３２と、更に詳しく後述するように好ましくは着脱自在にコード２０の一部分が結合される第２の部分１４４上の第２のコード係合部材１３４とを備えた本体部材１４０を有する、コードクリップ１３０を示す。複数のコードクリップ１３０の各コードクリップの第１のコード係合部材１３２は、コード２０を受け入れるための、コードクリップを貫通する第１の開口１３３を含む。更に、コードクリップ１３０の第１の開口１３３が、コード２０の引っ掛け係合を可能にするように、第１の開放末端部分１３６を有することが好ましい。
【００２７】
コードクリップ１３０の第１の開口１３３と、その第１の開放末端部分１３６とは、コード２０を保持し、かつ、コードが第１の開口１３３を通して配置されている時にその開口からコード２０が離脱することを防止してコード２０の紛失を防ぐような寸法にされる。
【００２８】
用途によっては、コードクリップ１３０の第１の開口１３３を通ってコード２０が自由に軸方向に移動可能であることが望ましく、したがって、このために、第１の開口１３３の概ね穿孔状の直径が、コード２０の直径よりも僅かに大きい寸法にされている。言い換えれば、コードクリップ１３０がコード２０に沿って両方向に自由に移動可能である。第１の開口１３３内でコード２０を確実に保持するように、および、好ましくは同時にコードクリップ１３０をコード２０に着脱自在に結合することを可能にするように、第１の開口１３３の第１の開放末端部分１３６は、一般に、コード直径よりも小さい寸法の第１の開口幅を有する間隙である。このように形状構成されることによって、コード２０とコードクリップ１３０との間に大きな摩擦係合が生じることなしにコードクリップ１３０がコード２０に沿って軸方向に自由に移動可能であるように、コードクリップ１３０の第１の部分１４２が、コード２０に確実に締結されることが可能である。
【００２９】
更に別の用途では、コード２０に沿ったコードクリップ１３０の軸方向の自由な移動を防止するために、コード２０を摩擦的に締着することが望ましい。この別の用途では、第１の開口１３３の概ね穿孔状の直径が、コードと第１の開口１３３との間に摩擦を発生させるようにコード直径よりも幾分か小さく、所望の度合いの摩擦を得るように、つまり、コードに対するコードクリップの相対的な移動の容易さを調節するように、コード直径に対して寸法が決められている。第１の開口１３３内でコード２０を確実に保持するように、および、好ましくは上記の通りにコードクリップ１３０をコード２０に着脱自在に結合することを可能にするように、第１の開口１３３の第１の開放末端部分１３６がコード直径よりも小さい寸法にされている。このように寸法が形成されることによって、コードクリップ１３０の第１の部分１４２が、コード２０に確実に締結されることが可能であり、コード２０との組立て時にコード２０に対して軸方向に固定される。
【００３０】
複数のコードクリップ１３０の各コードクリップの第２のコード係合部材１３４が、更に、コード２０を受け入れるための、コードクリップを貫通する第２の開口１３５を含む。コードクリップ１３０の第２の開口１３５は、更に、コード２０の引っ掛け係合を可能にするための第２の開放末端部分１３７を有することが好ましい。コードクリップ１３０の第２の開口１３５と第２の開放末端部分１３７とが、コード２０を保持し、かつ、コードが第２の開口１３５を通して配置される時に上記第２の開口からコード２０が離脱することを防止するような寸法にされていることが好ましい。他の実施形態では、第２の開放末端部分１３７が、コードを保持するような寸法にされていない。
【００３１】
コードクリップ１３０の第２の開口１３５は、好ましくはコードを締め付けることなしにコード２０の引っ掛け係合を可能にするような寸法にされており、コードクリップ１３０の第２の部分１４４が、コードとコードクリップとの間の大きな摩擦係合なしにコード２０に沿って軸方向に移動され得るようにされ、それによって、様々な物品積込の目的に適応するためのコード２０の一部分に対するコードクリップ１３０の締結と調節とを容易に行うことを可能にする。用途によっては、物品を定置部材に対して結束または保持するために、１つ以上のコードクリップ１３０の第２の部分１４４が、コード２０に引っ掛けることによって選択的にかつ着脱自在に締結され得る。あるいは、１つ以上のコードクリップ１３０が、コード２０に加えて定置部材１０の何らかの他の部分、例えば、定置部材上のフック、アイレット、他の開口、または、他の締結箇所等に引っ掛けることによって、着脱自在に締結されてもよく、それによって、ラッシング装置１００の用途の自由度と範囲とが更に拡大される。
【００３２】
実施形態の１つでは、コードアンカー１１０に関して前述したように、コードクリップ１３０は、プラスチック、複合材料、金属、または、他の材料で形成された一体の部材である。更に、コードクリップ１３０が、ある程度弾性があるように形成されてもよい。コードクリップ１３０は一体の部材であっても組立体であってもよい。
【００３３】
コードクリップ１３０の弾性がより高い場合には、その弾性コードクリップを曲げることによって、コード２０がコードクリップ１３０の第１の開口１３３と第２の開口１３５との中へ挿入されてもよい。コードが伸張可能な弾性コードである実施形態の場合には、コードの直径が伸張によって縮小されてもよく、それによって、特にコードクリップの弾性が低い実施形態では、コードクリップの第１の開口と第２の開口との中にコードを挿入することが可能になる。コードクリップに弾性があり、かつコードが伸張可能で弾性がある場合には、コードを伸張すること、コードクリップを曲げること、または、これらの組合せが、コードをコードクリップの第１の開口と第２の開口との中に挿入することを容易にする。
【００３４】
コードクリップをコードに軸方向に固定するように、伸張可能な弾性コード２０にコードクリップ１３０が保持されて摩擦的に締着される実施形態では、コードを伸張させ、その伸張したコードを第２の開放末端部分１３７と第１の開放末端部分１３５とを経由して第１の開口１３３の中に挿入することによって、コードクリップがコードに締結されてもよい。次いで、コード２０の直径が第１の相対的に大きい直径となるようにコード２０を非伸張状態にすると、コード２０がコードクリップ１３０の第１の開口１３３内に締着される。更に、少なくともコードがコードクリップの中を軸方向に移動することが可能になる程度に、非伸張状態のコードの直径よりも小さくコード直径を縮小するようにコードを伸張させることによって、締着されたコードがコードクリップの第１の開口１３３を通って軸方向に移動することが可能である。コード２０は又、伸張可能であろうとなかろうと、コードを締着解除するようにコードクリップを曲げることによって、例えば、コードを十分な力で引っ張ることによって、または、コードが伸張可能である場合には、コードを伸張させることによって、または、これらの組合せによって、コードクリップの第１の開口を通して移動させられてもよい。
【００３５】
ラッシング装置１００は、更に、コード端部締結部分１６２とフック部分１６４とを有するコードフック１６０と、コードフック１６０のコード端部締結部分１６２に締結されているコードの一部分とを含む。コードフックは公知であり、本発明と共通の譲受人に譲渡されている、１９８３年１月１８日付で交付された「ケーブル、ワイヤまたは他の要素のような可撓性要素のための結合または接続端部部品（Ｃｏｕｐｌｉｎｇ  ｏｒ  Ｃｏｎｎｅｃｔｉｎｇ  Ｅｎｄ  ＰａｒｔＦｏｒ  Ｆｌｅｘｉｂｌｅ  Ｅｌｅｍｅｎｔｓ  Ｓｕｃｈ  ａｓ  Ｃａｂｌｅｓ，Ｗｉｒｅｓ  ｏｒ  Ｏｔｈｅｒ  Ｅｌｅｍｅｎｔｓ）」と題する米国特許第４，３６８，９９９号に更に詳細に説明されている。
【００３６】
図７は、コード２０の１つの、好ましくは２つの自由端部分を収容するための開口１６３を有するコードフック１６０のコード端部締結部分１６２を示している。コードフック１６０の両側部に配置されている弾性アーム部分１６５が少なくとも部分的に開口１６３の中に向かって撓ませることが可能であり、より詳細には、その対応するコード係止部材１６６が、コード開口１６３の中に配置されている１つ以上のコード末端部分の中に食い込んで、その中にコード部分を保持し、それによってコードをコードフック１６０に確実に締結する。図７は、スナップ嵌めされるクリップ部分１６７かまたはコードフックの周囲に締結される他の方法によって、曲げられた状態のコード保持位置に維持されている弾性アーム１６５の１つを示している。あるいは、コード２０の１つ以上の末端部分が、コードフック１６０内にインサート成形されてもよい。
【００３７】
コードフック１６０のフック部分１６４が、コード２０を受け入れるための貫通した開口１６８を含み、この開口１６８が、コード２０の引っ掛け係合を可能にするような開放末端部分１６９を有することが好ましい。コードアンカーとコードクリップに関連して概括的に上述したように、その開口と開放末端部分とは、好ましくは、コードを締着することなしにコードの引っ掛け係合を可能にする寸法、又は、実施形態によってはコードの着脱可能な保持を可能にする寸法にされており、それによって、個々の物品積込の目的に適応するように、及び、コードとコードフック１６０とによって物品が固定されていない時にはコードとコードフック１６０とを固定して仕舞うために、コードフック１６０をコードの他の部分に容易に締結または締結解除することを可能にする。コードクリップ１３０の第２のコード係合部材１３４に関連して上述したように、コードフック１６０が更に、コード２０以外の、定置部材の一部分に締結されてもよい。
【００３８】
更に、ラッシング装置１００が、コード２０の周囲に配置されている、より詳細には、締結するかまたは引っ張るための隣接コード部分の周囲に配置されているコードロック１７０を含んでいてもよく、この事によって、物品を収容し、積込むための更なる調節可能性がラッシング装置１００にもたらされる。コードロックは公知であり、本発明と共通の譲受人に譲渡されている、１９９３年３月３０日付で交付された「コードクロージャ（Ｃｏｒｄ  Ｃｌｏｓｕｒｅ）」と題する米国特許第５，１９７，１６６号に更に詳細に説明されている。
【図面の簡単な説明】
【図１】図１は、本発明の典型的な実施形態に従ったラッシング装置である。
【図２】図２は、本発明による典型的なコードアンカーの斜視図である。
【図３】図３は、本発明による典型的なコードクリップの斜視図である。
【図４】図４は、本発明による典型的なコードフックの斜視図である。
【図５】図５は、典型的なコードアンカーの側面図である。
【図６】図６は、典型的なコードクリップの側面図である。
【図７】図７は、典型的なコードフックの端面図である。
【符号の説明】
１０…定置部材
２０…コード
１００…ラッシング装置
１１０…コードアンカー
１１２…コード係合部材
１３０…コードクリップ
１３２…第１のコード係合部材
１３４…第２のコード係合部材
１４２…第１の部分
１４４…第２の部分
【図１】
0004170547.tif 000002
【図２】
0004170547.tif 000003
【図３】
0004170547.tif 000004
【図４】
0004170547.tif 000005
【図５】
0004170547.tif 000006
【図６】
0004170547.tif 000007
【図７】
0004170547.tif 000008